(57)【要約】【課題】葬儀に参列できない場合にお悔やみの気持ちを遺族に伝えるのに適した線香贈呈箱を提供する。【解決手段】四角形状の底部３の縁に沿って形成した枠部４を有する、多数の線香５を収容可能な紙製の容器６と、容器６の底部３の下側に接着した台紙部７ａ、並びに容器６の片方の側面に対向可能な側板部７ｂ、及び容器６の上面を覆うことができる蓋部７ｃを有すると共に台紙部７ａと側板部７ｂとの境界線及び側板部７ｂと蓋部７ｃとの境界線で折り曲げた板紙７とからなる箱体８と、容器６の底部３の上側に収容する、多数の線香３の下敷きとなる緩衝シート９と、箱体８の上面並びに底面及び左右の側面を覆うように該箱体に巻付ける包紙１０と、箱体８に巻付けた包紙１０の外周に装着する水引き２とを備える。【選択図】図２
0003228276.tif 000002
【実用新案登録請求の範囲】
【請求項１】
四角形状の底部の縁に沿って形成した枠部を有する、多数の線香を収容可能な紙製の容器と、前記容器の底部の下側に接着した台紙部、並びに前記容器の片方の側面に対向可能な側板部、及び前記容器の上面を覆うことができる蓋部を有すると共に前記台紙部と前記側板部との境界線及び前記側板部と前記蓋部との境界線で折り曲げた板紙とからなる箱体と、
前記容器の底部の上側に収容する、多数の線香の下敷きとなる緩衝シートと、
前記箱体の上面並びに底面及び左右の側面を覆うように該箱体に巻付ける包紙と、
前記箱体に巻付けた包紙の外周に装着する水引きと、
を備える線香贈呈箱。
【請求項２】
請求項１に記載の線香贈呈箱であって、
前記容器の底部の上側に収容した前記緩衝シートを下敷きとして前記容器内に収容した多数の線香を備え、
前記多数の線香を前記容器に収容した前記箱体の上面並びに底面及び左右の側面を覆うように前記包紙を前記箱体に巻付けると共に前記包紙の外周に前記水引きを装着した線香贈呈箱。
【請求項３】
請求項１又は請求項２に記載の線香贈呈箱と、
前記線香贈呈箱に添えるメッセージシートと、
前記線香贈呈箱を収容する封筒と、
を備える線香送付セット。
【考案の詳細な説明】
【技術分野】
【０００１】
本考案は、お悔やみの気持ちを遺族に伝えるために有用な線香贈呈箱、及び線香を収容した線香贈呈箱を送付するために用いる線香送付セットに関する。
【背景技術】
【０００２】
通常、葬儀の際に参列者は香典料として金銭を香典袋に包んで葬儀会場に持参する。そして、その香典袋は葬儀会場でご霊前（仏前）に供えられた後、喪主に手渡される。
【０００３】
ところが、遠隔地に住む知人が亡くなった場合、その逝去を葬儀後に喪中はがき等により知るため、その葬儀に参列できないことが多い。また、その葬儀の直前に訃報に接したとしても、地理的条件等により、その葬儀に参列することが困難なことが多い。また近年、家族葬が増加しており、その場合、家族以外の者は葬儀に参列することができない。更に、最近では、コロナウイルスによる感染症の流行の影響により、三密を避けるために、葬儀に大勢が集まることがなくなってきており、今後、このコロナウイルスによる感染症の流行が下火になったとしても、このスタイルが定着しつつある。そのため葬儀の際に香典などを遺族に直接手渡せなくなると予想されるが、一般に、縁ある人の逝去に対しては、たとえ葬儀に参列できなくても、お悔やみの気持ちを遺族に伝えたい、ご霊前（仏前）にお線香を手向けたいという思いは強い。
従来、香典袋には、特許文献１に記載されているように、線香を取付けた線香収納台を外包用畳紙又は内袋に着脱自在に取付けて、香典料だけでなく線香をご霊前（仏前）にお供えすることができようにしたのもある。
【先行技術文献】
【特許文献】
【０００４】
【特許文献１】特開２００２−１６０７４１号公報
【考案の概要】
【考案が解決しようとする課題】
【０００５】
しかし、上述の香典袋は葬儀の際に直接手渡すことを前提としている。そして線香収納台に装着できる線香の数は数本に限られており、しかも線香収納台等の機械的強度不足により郵送中に線香が折れる恐れがある。
【０００６】
本考案は、従来のこのような問題点に鑑みてなされたものである。本考案の主な目的は、葬儀に参列できない場合にお悔やみの気持ちを遺族に伝えるのに適した、多数の線香を折れないように遺族に送付することができる線香贈呈箱を提供することにある。また、本考案の別の目的は、前記線香贈呈箱を送付するのに便利な線香送付セットを提供することにある。
【課題を解決するための手段及び考案の効果】
【０００７】
本考案の第１の側面に係る線香贈呈箱によれば、四角形状の底部の縁に沿って形成した枠部を有する、多数の線香を収容可能な紙製の容器と、前記容器の底部の下側に接着した台紙部、並びに前記容器の片方の側面に対向可能な側板部、及び前記容器の上面を覆うことができる蓋部を有すると共に前記台紙部と前記側板部との境界線及び前記側板部と前記蓋部との境界線で折り曲げた板紙とからなる箱体と、前記容器の底部の上側に収容する、多数の線香の下敷きとなる緩衝シートと、前記箱体の上面並びに底面及び左右の側面を覆うように該箱体に巻付ける包紙と、前記箱体に巻付けた包紙の外周に装着する水引きと、を備えるよう構成できる。
【０００８】
前記構成により、線香贈呈箱は、箱体が紙製であり、枠部を有するので、軽量で丈夫な箱体を得ることができる。そして緩衝シートを備えるので移送中に線香が折れる心配がない。蓋部は扉式であるので、水引き及び包紙を取外した後の箱体は扉部を容易に開くことができ、線香を箱から容易に取り出すことができるので、ご霊前（仏前）に線香を供えるのに便利である。そして水引きを備えるので、ご霊前（仏前）にお供えしたとき、通常の香典袋と比べても遜色はなく、作法を損なわず、十分に哀悼の意を表すことができる。したがって、葬儀に参列できない場合でも、線香を入れた線香贈呈箱を遺族へ送ることにより、お悔やみの気持ちを遺族に伝えることができる。
【０００９】
本考案の第２の側面に係る線香贈呈箱によれば、前記容器の底部の上側に収容した前記緩衝シートを下敷きとして前記容器内に収容した多数の線香を備え、前記多数の線香を前記容器に収容した前記箱体の上面並びに底面及び左右の側面を覆うように前記包紙を前記箱体に巻付けると共に前記包紙の外周に前記水引きを装着するよう構成できる。
【００１０】
前記構成により、線香贈呈者は線香贈呈箱を購入すれば、その線香贈呈箱内に既に線香が入っているので、別に線香を購入して線香贈呈箱内に収容する必要がなく、線香を準備する手間を省くことができる。
【００１１】
本考案の第３の側面に係る線香送付セットによれば、上述の考案の第１の側面又は第２の側面に係る線香贈呈箱と、前記線香贈呈箱に添えるメッセージシートと、前記線香贈呈箱を収容する封筒と、を備えるよう構成できる。
【００１２】
前記構成により、線香にメッセージシートを添えて送付するのに便利である。
【図面の簡単な説明】
【００１３】
【図１】本考案の一実施形態に係る線香贈呈箱の正面図である。
【図２】図１に示すＡ−Ａ矢視断面図である。
【図３】箱体の斜視図である。
【図４】容器の展開図である。
【図５】中敷きの展開図である。
【図６】本考案の一実施形態に係る線香送付セットの説明図である。
【考案を実施するための形態】
【００１４】
以下、本考案の実施の形態を図面に基づいて説明する。ただし、以下に示す実施の形態は、本考案の技術思想を具体化するための線香贈呈箱及び線香送付セットを例示するものであって、本考案はそれを以下のものに特定しない。また、本明細書は実用新案登録請求の範囲に示される部材を、実施の形態の部材に特定するものでは決してない。特に実施の形態に記載されている構成部品の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本考案を構成する各要素は、複数の要素を同一の部材で構成して一の部材で複数の要素を兼用する態様としてもよいし、逆に一の部材の機能を複数の部材で分担して実現することもできる。
【００１５】
図１に示すように、線香贈呈箱１は、白黒色又は銀色の水引き２を備えており、その正面は香典袋のような体裁になっている。そして図２、図３に示すように、四角形状の底部３の縁に沿って所要の幅及び高さになるよう形成した枠部４を有する、多数の線香５を収容可能な紙製の容器６と、容器６の底部３の下側に接着した台紙部７ａ、並びに容器６の片方の側面に対向可能な側板部７ｂ、及び容器６の上面を覆うことができる蓋部７ｃを有すると共に台紙部７ａと側板部７ｂとの境界線及び側板部７ｂと蓋部７ｃとの境界線で折り曲げた板紙７とからなる箱体８と、容器６の底部３の上側に収容する、多数の線香５の下敷きとなる緩衝シート９と、箱体８の上面並びに底面及び左右の側面を覆うように該箱体８に巻付ける包紙１０と、を備えている。
【００１６】
容器６は、図４に示す形状の紙片Ｓを二点鎖線で示す折り目に沿って折ることで、枠部４を形成した後、底面１１及び折り曲げられたフラップ１２、１３を覆うように、図５に示す紙製の中敷き１４を敷くと共に、中敷き１４に形成した突出部１４ａを、紙片Ｓに設けた穴１５に入れることで組立てられている。板紙７の台紙部７ａは、容器６を組立てた後、容器６の底面１１に接着される。
【００１７】
水引き２は、輪部２ａを有しており、箱体８に巻付けた包紙１０の外周に輪部２ａを被せることで装着される。この実施形態では、包紙１０の縦幅は箱体８の縦幅と同じである。また送り主の氏名を、包紙１０に直接記入する代わりに、図１に示すように短冊１６の二点鎖線で示す部分に記入し、その短冊１６を包紙１０の表面に貼付してある。
【００１８】
図６は、線香送付セット１７を示し、この線香送付セット１７は、線香贈呈箱１と、線香贈呈箱１に添える複数枚の弔事カード１８（実用新案登録請求の範囲における「メッセージシート」の一例に対応する。）と、線香贈呈箱１を収容する封筒１９とを備えており、それらは透明の合成樹脂製の包装袋２０に収容してある。更に、包装袋２０には、補強用の厚紙２１と、氏名記入用の短冊１６が収容してある。必要に応じて、包装袋２０には、線香送付セットの取扱説明書等を入れておいてもよい。
【００１９】
複数の弔事カード１８には、定型的なメッセージが印刷されているものと、白紙のものが含まれている。また線香贈呈箱１には、容器６内の緩衝シート９の上側に多数の線香５が予め収容してある。
【００２０】
線香送付セット１７の利用者は、線香を送るには、包装袋２０から、線香贈呈箱１、弔事カード１８、短冊１６を取り出し、送り主の氏名を短冊１６に記入して線香贈呈箱１に貼付すると共に、必要に応じてメッセージを弔事カード１８に記入して、その線香贈呈箱１、並びにメッセージが記入された又は印刷されている弔事カード１８を封筒１９に入れて発送する。なお、線香送付セット１７は、線香５を収容していない線香贈呈箱１を備えたものでもよい。その場合は、線香贈呈箱１を封筒１９に入れる前に、線香送付セット１７の利用者が線香５を空の線香贈呈箱１に入れる。
【符号の説明】
【００２１】
１…線香贈呈箱
２…水引き
３…底部
４…枠部
５…線香
６…容器
７…板紙；７ａ…台紙部；７ｂ…側板部；７ｃ…蓋部
８…箱体
９…緩衝シート
１０…包紙
１１…底面
１２…フラップ
１３…フラップ
１４…中敷き；１４ａ…突出部
１５…穴
１６…短冊
１７…線香送付セット
１８…弔事カード
１９…封筒
２０…包装袋
２１…厚紙
【図１】
0003228276.tif 000003
【図２】
0003228276.tif 000004
【図３】
0003228276.tif 000005
【図４】
0003228276.tif 000006
【図５】
0003228276.tif 000007
【図６】
0003228276.tif 000008